(57)【特許請求の範囲】
【請求項１】
体動を検知する検知手段と、
単位時間毎に、前記検知手段の検知結果に基づいて身体活動の強度を算出し、当該算出した強度を記憶部に記録する記録手段と、
前記強度が記録された時点から遡って所定時間の間に記録された強度を参照して、表示強度の算出に用いる時間を決定する決定手段と、
前記決定手段で決定された時間とその間に記録された強度とから表示強度を算出し、当該算出した表示強度を表示部に表示する表示手段と、
を有し、
前記決定手段は、強度が所定の値未満の単位時間の直後に強度が前記所定の値以上の単位時間が現れる状態変化点が前記所定時間内に存在するときに、前記所定時間内の全ての単位時間の強度が所定の値以上であるときよりも、表示強度の算出に用いる時間を短くする
ことを特徴とする身体活動強度計測装置。
【請求項２】
前記決定手段は、
前記所定時間内の最後の単位時間から、順に過去の単位時間の強度を、前記所定の値と比較する比較手段と、
強度が前記所定の値未満の単位時間の直後に強度が前記所定の値以上の単位時間が現れる状態変化点であって、前記所定時間内の最後の単位時間に最も近い状態変化点を検出する状態変化検出手段と、
を備え、
前記状態変化検出手段で検出された状態変化点を構成する単位時間のうち、強度が前記所定の値以上の単位時間から、最後の単位時間までの時間を、前記表示強度の算出に用いる時間とする
ことを特徴とする請求項１に記載の身体活動強度計測装置。
【請求項３】
前記決定手段は、
前記所定時間内において、強度が前記所定の値以上の単位時間が存在し、且つ、状態変化点が検出されなかった場合には、前記所定時間を前記表示強度の算出に用いる時間とす
る
ことを特徴とする請求項２に記載の身体活動強度計測装置。
【請求項４】
前記所定時間は、前記単位時間よりも長い
ことを特徴とする請求項１〜３のいずれか１項に記載の身体活動強度計測装置。
【請求項５】
前記決定手段は、
前記所定時間内の全ての単位時間の強度が前記所定の値以上である場合には、前記所定時間を前記表示強度の算出に用いる時間とする
ことを特徴とする請求項１〜４のいずれか１項に記載の身体活動強度計測装置。
【請求項６】
前記表示手段は、
前記所定時間内の全ての単位時間の強度が前記所定の値未満である場合には、強度を表示しない
ことを特徴とする請求項１〜５のいずれか１項に記載の身体活動強度計測装置。
【請求項７】
前記表示手段は、
前記所定時間内の全ての単位時間の強度が前記所定の値未満である場合には、所定の表示強度を表示する
ことを特徴とする請求項１〜５のいずれか１項に記載の身体活動強度計測装置。
【請求項８】
前記表示強度の算出に用いる時間と前記所定時間とが異なる場合に、そのことを利用者に知らせる手段を更に有する
ことを特徴とする請求項１〜７のいずれか１項に記載の身体活動強度計測装置。
【請求項９】
前記表示手段は、歩数、歩行時間、歩行距離、消費カロリー、脂肪燃焼量のうちすくなくとも一つを更に表示する
ことを特徴とする請求項１〜８のいずれか１項に記載の身体活動強度計測装置。
【発明の詳細な説明】
【技術分野】
【０００１】
本発明は、身体活動強度計測装置に関する。
【背景技術】
【０００２】
利用者の身体活動の強度を計測する装置（身体活動強度計測装置；運動強度計；活動量計）には、予め設定した目標運動量に対する、その時点での残り運動量を表示するものがある（特許文献１参照）。また、検知した身体活動を４段階の運動レベルに分類し、一定期間の歩行数、運動強度分布などを表示するものも提案されている（特許文献２参照）。
【特許文献１】特開２００１−２７６００９号公報
【特許文献２】特開平１０−３１８７７９号公報
【発明の開示】
【発明が解決しようとする課題】
【０００３】
近年、疾病全体に占める虚血性心疾患、脳血管疾患、糖尿病等の生活習慣病の割合が増加し、大きな問題となっている。このような生活習慣病の発症リスクを低減するためには、運動不足などの好ましくない生活習慣を見直すことで、その基礎病態であるメタボリックシンドローム（内臓脂肪症候群）を改善することが有効とされている。
【０００４】
具体的な指針として、厚生労働省の運動施策の一環として報告された「健康づくりのための運動基準２００６」及び「健康づくりのための運動指針２００６（エクササイズガイド２００６）」では、健康づくりのための身体活動量の基準値を、「３メッツ（ＭＥＴｓ）以上の身体活動を２３エクササイズ（ＭＥＴｓ・時）／週、そのうち３ＭＥＴｓ以上の運動を４エクササイズ」と定めている。なお、「身体活動」とは、安静にしている状態より多くのエネルギーを消費する全ての動きのことをいい、「運動」とは、身体活動のうち体力の維持・向上を目的として計画的・意図的に実施するものをいう。身体活動のうち運動以外のものは「生活活動」とよばれる。
【０００５】
上記指針からも分かるように、生活習慣病の予防のためには、日常生活の中での活動量を増加させることと（例えば、家事や通勤時の活動量を増やすなど）、ある程度計画的に運動を実施すること（例えば、定期的にウォーキング、ジョギングを行うなど）の両方を心がけ、継続することが効果的といえる。しかし、従来の身体活動強度計測装置では、一定の時間に行われた身体活動の強度（例えば、その時間に行われた身体活動の平均的な強度）が表示されるため、身体活動強度計測装置の表示感度は上記時間の幅によって左右される。例えば、強度を算出するための時間を長くすると、急に激しい運動をした場合に、運動をしていない時間も含めて強度が算出されてしまう。そのため、実際の強度よりも低い値が算出されてしまう。更に、強度を算出するための時間を長くすると、身体活動の開始から実際の強度が表示されるまでに長い時間が必要になるため、利用者に“感度が悪い”という印象を持たせてしまう。一方、上記時間を短くすると、身体活動中に表示される強度が激しく変動する場合がある。そのような場合、身体活動の強度は、利用者にとって把握し難くなってしまう。そのため、状況に応じて表示感度を変更することができる活動量計が望まれている。
【０００６】
本発明は上記実情に鑑みてなされたものであって、その目的とするところは、状況に応じて表示感度を変更することができる身体活動強度計測装置を提供することにある。
【課題を解決するための手段】
【０００７】
上記目的を達成するために本発明は、以下の構成を採用する。
【０００８】
本発明の身体活動強度計測装置は、体動を検知する検知手段と、単位時間毎に、前記検知手段の検知結果に基づいて身体活動の強度を算出し、当該算出した強度を記憶部に記録する記録手段と、前記強度が記録された時点から遡って所定時間の間に記録された強度を参照して、表示強度の算出に用いる時間を決定する決定手段と、前記決定手段で決定された時間とその間に記録された強度とから表示強度を算出し、当該算出した表示強度を表示部に表示する表示手段と、を有し、前記決定手段は、強度が所定の値未満の単位時間の直後に強度が前記所定の値以上の単位時間が現れる状態変化点が前記所定時間内に存在するときに、前記所定時間内の全ての単位時間の強度が所定の値以上であるときよりも、表示強度の算出に用いる時間を短くすることを特徴とする。
【０００９】
この構成によれば、所定時間の間に記録された強度を参照して、表示強度の算出に用いる時間が決定される。そのため、状況に応じて表示強度の算出に用いる時間を変更することができる。また、この構成によれば、決定された時間とその間に記録された強度とから表示強度が算出される。そのため、表示強度の算出に用いられる時間を変更することにより、表示感度を変更することができる。
【００１０】
前記決定手段は、前記所定時間内の最後の単位時間から、順に過去の単位時間の強度を、所定の値と比較する比較手段と、強度が前記所定の値未満の単位時間の直後に強度が前記所定の値以上の単位時間が現れる状態変化点であって、前記所定時間内の最後の単位時間に最も近い状態変化点を検出する状態変化検出手段と、を備え、前記状態変化検出手段で検出された状態変化点を構成する単位時間のうち、強度が前記所定の値以上の単位時間から、最後の単位時間までの時間を、前記表示強度の算出に用いる時間とすることが好ましい。このような構成にすることにより、急に激しい運動をした場合に感度よく強度（実際の強度に近い強度）を表示することができ、且つ、身体活動中に表示される強度の揺らぎを小さく抑えることができる。そのため、利用者に“感度が悪い”という印象を持たせず、且つ、身体活動の強度を把握し易くすることができる。
【００１１】
前記決定手段は、前記所定時間内において、強度が前記所定の値以上の単位時間が存在し、且つ、状態変化点が検出されなかった場合には、前記所定時間を前記表示強度の算出に用いる時間とすることが好ましい。前記所定時間は、前記単位時間よりも長いことが好ましい。前記決定手段は、前記所定時間内の全ての単位時間の強度が前記所定の値以上である場合には、前記所定時間を前記表示強度の算出に用いる時間とすることが好ましい。前記表示手段は、前記所定時間内の全ての単位時間の強度が前記所定の値未満である場合には、強度を表示しない、または、所定の表示強度を表示することが好ましい。
【００１２】
前記表示強度の算出に用いる時間と前記所定時間とが異なる場合に、そのことを利用者に知らせる手段を更に有することが好ましい。この構成によれば、表示強度の算出に用いる時間が変動中であることを利用者に知らせることができる。例えば、身体活動を開始してからあまり時間が経過していないことを知らせることができる。
【００１３】
前記表示手段は、歩数、歩行時間、歩行距離、消費カロリー、脂肪燃焼量のうちすくなくとも一つを更に表示することが好ましい。この構成によれば、所定の値未満の強度の身体活動中（例えば、ゆっくり歩いている最中）においても歩数計として利用できるほか、利用者に活動に関する有用な情報を与えることができる。
【発明の効果】
【００１４】
本発明によれば、状況に応じて表示感度を変更することができる身体活動強度計測装置を提供することができる。
【発明を実施するための最良の形態】
【００１５】
以下に、図面を参照して、本実施形態に係る身体活動強度計測装置（以下、活動量計という）について詳しく説明する。図１は、本実施形態に係る活動量計の構成の一例を示す
ブロック図である。図１に示すように、本実施形態に係る活動量計１００は、体動検知部１０１、ＣＰＵ１０２、記憶部１０３、表示部１０４、操作部１０５、電源部１０６、電源接続部１０７などを有する。
【００１６】
体動検知部１０１は、体動（歩行や走行などの身体活動）を検知する検知部である。体動検知部１０１としては、例えば、加速度センサなどを適用すればよい。
【００１７】
ＣＰＵ１０２は、活動量計１００が有する各機能を制御したり、種々の演算処理を行う演算装置である。例えば、ＣＰＵ１０２は、単位時間毎に、体動検知部１０１の検知結果に基づいて身体活動の強度を算出し、当該算出した強度を記憶部１０３に記録する。なお、本実施形態では、単位時間を２０秒とする。記憶部１０３としては、揮発性メモリや不揮発性メモリなど、種々の記録媒体を適用すればよい。なお、算出した強度は、２０秒間に行われた総強度であってもよいし、Ａ（Ａ＝１，２，３・・・）秒あたりの平均強度であってもよい。
【００１８】
強度の算出方法は、例えば、以下に示す、ピッチから強度を求める手法、ピッチ及び歩幅から強度を求める手法など、既存の技術を適用すればよい。単位時間毎に強度を算出できれば、どのような手法を用いてもよい。
【００１９】
＜ピッチから強度を求める手法＞
加速度センサの出力波形からピッチＰ〔歩／分〕が得られた場合、強度Ｍ〔ＭＥＴｓ〕は下記式で求めることができる。
強度Ｍ＝ａ１＋（ａ２×ピッチＰ）
ただし、ａ１、ａ２は実験的統計的に定められる係数である。例えば、男性の場合は、ａ１＝−７．０６５、ａ２＝０．１０５、女性の場合は、ａ１＝−８．８０５、ａ２＝０．１１０とすればよい。
【００２０】
＜ピッチ及び歩幅から強度を求める手法＞
加速度センサの出力波形からピッチＰ〔歩／分〕及び歩幅Ｗ〔ｍ〕が得られた場合、強度Ｍ〔ＭＥＴｓ〕は下記式で求めることができる。
強度Ｍ＝ｂ１×ピッチＰ×歩幅Ｗ＋ｂ２
ただし、ｂ１、ｂ２は実験的統計的に定められる係数である。例えば、ｂ１＝０．０１５、ｂ２＝１．５９９とすればよい。
【００２１】
また、体動検知部１０１として、３軸加速度センサを用いている場合には、各方向成分の加速度に基づいて、強度を求める算出式を決定してもよい。
【００２２】
また、ＣＰＵ１０２は、強度が記録された時点から遡って所定時間（以後、参照時間とする）の間に記録された強度を参照して、表示強度の算出に用いる時間を決定する。そして、表示強度を算出し、表示部１０４に表示する。本実施形態では、参照時間を単位時間よりも長くする。具体的には、参照時間を６０秒とする。なお、本実施形態では、表示強度の算出に用いる時間の時間幅が０（０秒）の場合、表示強度を算出せず、表示部に表示強度を表示しないものとする（所定の表示強度（例えば１ＭＥＴｓ）を表示してもよい）。表示強度は、上記決定された時間とその間に記録された強度とから算出される。例えば、表示強度は、上記決定された時間の間に記録された強度の平均値である。表示部１０４としては、液晶ディスプレイなどを適用すればよい。表示強度の算出に用いる時間の決定方法については後で詳しく説明する。
【００２３】
操作部１０５は、目標の設定、歩数や表示のリセット、各種設定値の入力などの操作を行うためのユーザインターフェイスである。
【００２４】
電源部１０６は、活動量計１００に電力を供給する電力供給源である。電源部１０６としては、種々のバッテリーを適用すればよい。
【００２５】
電源接続部１０７は、活動量計１００内の各機能と電源部１０６とを接続するための端子である。
【００２６】
上述したように、本実施形態に係る活動量計は、参照時間の間に記録された強度を参照して、表示強度の算出に用いる時間を決定する。そのため、状況に応じて表示強度の算出に用いられる時間を変更することができる。また、本実施形態に係る活動量計は、ＣＰＵ１０２により決定された時間とその間に記録された強度とから表示強度を算出する。そのため、表示強度の算出に用いられる時間を変更することにより、表示感度を変更することができる。
【００２７】
以下、本実施形態に係る活動量計における表示強度の算出に用いる時間の決定方法について詳しく説明する。
【００２８】
＜実施例＞
本実施例では、ＣＰＵ１０２が、参照時間内の最後の単位時間から、順に過去の単位時間の強度を、所定の値と比較し、強度が所定の値未満の単位時間の直後に強度が所定の値以上の単位時間が現れる状態変化点であって、参照時間内の最後の単位時間に最も近い状態変化点を検出する。即ち、ＣＰＵ１０２は、参照時間内において、所定の値未満の強度から所定の値以上の強度への切り替わりのうち、最後の単位時間に最も近いものを検出する。そして、上記検出された状態変化点を構成する単位時間のうち、強度が所定の値以上の単位時間から、最後の単位時間までの時間を、表示強度の算出に用いる時間とする。但し、参照時間内の全ての単位時間の強度が所定の値以上である場合には、参照時間を表示強度の算出に用いる時間とする。なお、本実施例では、所定の値を２ＭＥＴｓとする。
【００２９】
＜実施例１＞
（表示強度の算出に用いる時間の決定処理）
本実施例では、図２に示すフローチャートに従って表示強度の算出に用いる時間を決定する。図２は、本実施例における表示強度の算出に用いる時間を決定する際の処理の流れの一例を示すフローチャートである。以下、図２を用いて表示強度の算出に用いる時間を決定する際の処理の流れの一例について説明する。
【００３０】
まず、活動量計１００の電源が投入されると、体動検知部１０１が、体動を検知し始める（ステップＳ２０１）。そして、２０秒毎に、ＣＰＵ１０２がステップＳ２０１での検知結果に基づいて身体活動の強度を算出し、記憶部１０３に記録する（ステップＳ２０２）。
【００３１】
次に、ＣＰＵ１０２が、ステップＳ２０２で記録された強度（参照時間内の最後の単位時間の強度）が２ＭＥＴｓ以上か否かを判定する（ステップＳ２０３）。ステップＳ２０２で記録された強度が２ＭＥＴｓ未満の場合（ステップＳ２０３：ＮＯ）、ＣＰＵ１０２が、表示強度の算出に用いる時間の時間幅を０（０秒）とする。即ち、表示強度は算出されず、表示部１０４にも表示されない（ステップＳ２０４）。ステップＳ２０２で記録された強度が２ＭＥＴｓ以上の場合（ステップＳ２０３：ＹＥＳ）、ステップＳ２０５へ進む。
【００３２】
ステップＳ２０５では、ＣＰＵ１０２が、ステップＳ２０２で記録された強度の１つ前に記録された強度が２ＭＥＴｓ以上か否かを判定する。ステップＳ２０５において強度が
２ＭＥＴｓ未満の場合（ステップＳ２０５：ＮＯ）、ＣＰＵ１０２が、表示強度の算出に用いる時間の時間幅を２０秒として表示強度を算出し、算出した表示強度を表示部１０４に表示する（ステップＳ２０６）。即ち、ステップＳ２０２で記録された強度と同じ値が表示される。ステップＳ２０５において強度が２ＭＥＴｓ以上の場合（ステップＳ２０５：ＹＥＳ）、ステップＳ２０７へ進む。
【００３３】
ステップＳ２０７では、ＣＰＵ１０２が、ステップＳ２０２で記録された強度の２つ前に記録された強度が２ＭＥＴｓ以上か否かを判定する。ステップＳ２０７において強度が２ＭＥＴｓ未満の場合（ステップＳ２０７：ＮＯ）、ＣＰＵ１０２が、表示強度の算出に用いる時間の時間幅を４０秒として表示強度を算出し、算出した表示強度を表示部１０４に表示する（ステップＳ２０８）。即ち、ステップ２０２で記録された強度と、その１つ前に記録された強度との平均値が表示される。ステップＳ２０７において強度が２ＭＥＴｓ以上の場合（ステップＳ２０７：ＹＥＳ）、ＣＰＵ１０２が、表示強度の算出に用いる時間の時間幅を６０秒として表示強度を算出し、算出した表示強度を表示部１０４に表示する（ステップＳ２０９）。即ち、ステップ２０２で記録された強度、その１つ前に記録された強度、及び、その２つ前に記録された強度の平均値が表示される。
【００３４】
（従来技術との比較）
以下に、図３を用いて、本実施例に係る活動量計１００における表示結果、及び、表示強度の算出に用いる時間の時間幅が固定されている活動量計３０１，３０２における表示結果について比較・検討する。なお、活動量計３０１，３０２において、表示強度の算出に用いる時間の時間幅は、それぞれ、６０秒，２０秒とする。図３は、単位時間毎に算出される強度と、表示部１０４に表示される表示強度とを示す図であり、縦軸を強度〔ＭＥＴｓ〕、横軸を時間〔秒〕とする図である。なお、図３の例では、小数点以下は四捨五入し、強度を整数で示している。
【００３５】
活動量計３０１のように表示強度の算出に用いる時間の時間幅を長くすると、急に激しい運動をした場合に、運動をしていない時間も含めて強度が算出されてしまう。それにより、単位時間毎に算出される強度よりも大幅に低い値が算出されてしまう（図３の破線３１０）。そのため、身体活動の開始から単位時間毎に算出される強度と同程度の強度が表示されるまでに長い時間が必要になり、利用者に“感度が悪い”という印象を持たせてしまう。
【００３６】
また、活動量計３０２のように表示強度の算出に用いる時間の時間幅を短くすると、身体活動中に表示される強度が激しく変動してしまう（図３の破線３１１）。そのため、利用者が身体活動の強度を把握し難くなってしまう。
【００３７】
一方、本実施例に係る活動量計１００によれば、急に激しい運動をした場合でも感度よく強度（単位時間毎に算出される強度と近い値）を表示することができ、且つ、身体活動中に表示される強度の揺らぎを小さく抑えることができる。そのため、利用者に“感度が悪い”という印象を持たせず、且つ、身体活動の強度を把握し易くすることができる。
【００３８】
＜実施例２＞
実施例１では、身体活動の最中に所定の値未満の強度が記録されると、表示強度の算出に用いる時間の時間幅が０になってしまう。即ち、身体活動中に一時的に活動を停止した場合（例えば、信号で立ち止まる等の場合）に表示部１０４に表示強度が表示されなくなる。そのため、表示強度の算出に用いる時間の時間幅を短くした場合と同様に、利用者が身体活動の強度を把握し難くなってしまうという虞が生じる。
【００３９】
（表示強度の算出に用いる時間の決定処理）
そこで、本実施例では、図４に示すフローチャートに従って表示強度の算出に用いる時間を決定する。図４は、本実施例における表示強度の算出に用いる時間を決定する際の処理の流れの一例を示すフローチャートである。以下、図４を用いて表示強度の算出に用いる時間を決定する際の処理の流れの一例について説明する。なお、本実施例では、参照時間内において、強度が所定の値以上の単位時間が存在し、且つ、状態変化点が検出されなかった場合に、参照時間を表示強度の算出に用いる時間とする（後述するステップＳ４１２、ステップＳ４１５参照）。
【００４０】
まず、活動量計１００の電源が投入されると、体動検知部１０１が、体動を検知し始める（ステップＳ４０１）。そして、２０秒毎に、ＣＰＵ１０２がステップＳ４０１での検知結果に基づいて身体活動の強度を算出し、記憶部１０３に記録する（ステップＳ４０２）。
【００４１】
次に、ＣＰＵ１０２が、ステップＳ４０２で記録された強度が２ＭＥＴｓ以上か否かを判定する（ステップＳ４０３）。ステップＳ４０２で記録された強度が２ＭＥＴｓ未満の場合（ステップＳ４０３：ＮＯ）、ステップＳ４０９へ進む。
【００４２】
ステップＳ４０２で記録された強度が２ＭＥＴｓ以上の場合（ステップＳ４０３：ＹＥＳ）、ＣＰＵ１０２が、ステップＳ４０２で記録された強度の１つ前に記録された強度が２ＭＥＴｓ以上か否かを判定する（ステップＳ４０４）。ステップＳ４０４において強度が２ＭＥＴｓ未満の場合（ステップＳ４０４：ＮＯ）、ＣＰＵ１０２が、表示強度の算出に用いる時間の時間幅を２０秒として表示強度を算出し、算出した表示強度を表示部１０４に表示する（ステップＳ４０５）。ステップＳ４０４において強度が２ＭＥＴｓ以上の場合（ステップＳ４０４：ＹＥＳ）、ステップＳ４０６へ進む。
【００４３】
ステップＳ４０６では、ＣＰＵ１０２が、ステップＳ４０２で記録された強度の２つ前に記録された強度が２ＭＥＴｓ以上か否かを判定する。ステップＳ４０６において強度が２ＭＥＴｓ未満の場合（ステップＳ４０６：ＮＯ）、ＣＰＵ１０２が、表示強度の算出に用いる時間の時間幅を４０秒として表示強度を算出し、算出した表示強度を表示部１０４に表示する（ステップＳ４０７）。ステップＳ４０６において強度が２ＭＥＴｓ以上の場合（ステップＳ４０６：ＹＥＳ）、ＣＰＵ１０２が、表示強度の算出に用いる時間の時間幅を６０秒として表示強度を算出し、算出した表示強度を表示部１０４に表示する（ステップＳ４０８）。
【００４４】
ステップＳ４０９では、ＣＰＵ１０２が、ステップＳ４０２で記録された強度の１つ前に記録された強度が２ＭＥＴｓ以上か否かを判定する。ステップＳ４０９において強度が２ＭＥＴｓ未満の場合（ステップＳ４０９：ＮＯ）、ステップＳ４１３へ進む。
【００４５】
ステップＳ４０９において強度が２ＭＥＴｓ以上の場合（ステップＳ４０９：ＹＥＳ）、ＣＰＵ１０２が、ステップＳ４０２で記録された強度の２つ前に記録された強度が２ＭＥＴｓ以上か否かを判定する（ステップＳ４１０）。ステップＳ４１０において強度が２ＭＥＴｓ未満の場合（ステップＳ４１０：ＮＯ）、ＣＰＵ１０２が、表示強度の算出に用いる時間の時間幅を４０秒として表示強度を算出し、算出した表示強度を表示部１０４に表示する（ステップＳ４１１）。ステップＳ４１０において強度が２ＭＥＴｓ以上の場合（ステップＳ４１０：ＹＥＳ）、ＣＰＵ１０２が、表示強度の算出に用いる時間の時間幅を６０秒として表示強度を算出し、算出した表示強度を表示部１０４に表示する（ステップＳ４１２）。
【００４６】
ステップＳ４１３では、ＣＰＵ１０２が、ステップＳ４０２で記録された強度の２つ前に記録された強度が２ＭＥＴｓ以上か否かを判定する。ステップＳ４１３において強度が
２ＭＥＴｓ未満の場合（ステップＳ４１３：ＮＯ）、表示強度の算出に用いる時間の時間幅を０（０秒）とする。即ち、表示強度は算出されず、表示部１０４にも表示されない（ステップＳ４１４）。ステップＳ４１３において強度が２ＭＥＴｓ以上の場合（ステップＳ４１３：ＹＥＳ）、ＣＰＵ１０２が、表示強度の算出に用いる時間の時間幅を６０秒として表示強度を算出し、算出した表示強度を表示部１０４に表示する（ステップＳ４１５）。
【００４７】
（実施例１との比較）
以下に、図５を用いて、本実施例に係る活動量計１００と、実施例１に係る活動量計との表示結果について比較・検討する。図５は、単位時間毎に算出される強度と、表示部１０４に表示される表示強度とを示す図であり、縦軸を強度〔ＭＥＴｓ〕、横軸を時間〔秒〕とする図である。
【００４８】
図５に示すように、本実施例に係る活動量計１００は、実施例１に係る活動量計と同様に、急に激しい運動をした場合でも感度よく強度（単位時間あたり強度に近い強度）を表示することができ、且つ、身体活動中に表示される強度の揺らぎを小さく抑えることができる。そのため、利用者に“感度が悪い”という印象を持たせず、且つ、身体活動の強度を把握し易くすることができる。
【００４９】
さらに、本実施例に係る活動量計１００は、実施例１に係る活動量計とは異なり、身体活動の最中に２ＭＥＴｓ未満の強度が記録されても、参照時間内において２ＭＥＴｓ以上の強度が記録されている場合には表示強度を表示することができる（図５の破線５１０）。
【００５０】
＜表示例＞
以下に、表示部１０４に表示される表示強度の一例について説明する。図６（ａ）〜（ｃ）は、本実施形態に係る活動量計１００の表示部１０４の表示例を示す図である。
【００５１】
図６（ａ）〜（ｃ）に示すように、本実施形態に係る活動量計１００は表示強度の他に歩数も表示する。それにより、常時（所定の値未満の強度の身体活動中（例えば、ゆっくり歩いている最中）であっても）歩数計として利用することができる。本実施形態に係る活動量計１００は、表示強度を数値で表示してもよいし（図６（ａ））、表示強度をインジケータで表示してもよい（図６（ｂ），（ｃ））。表示強度の算出に用いる時間と参照時間とが異なる場合に、上記インジケータを点滅させたり、表示強度の算出に用いる時間と参照時間とが異なることを意味するアイコンを表示したりすることにより、そのことを利用者に知らせてもよい。また、表示強度の算出に用いる時間と参照時間とが異なる場合は、運動を開始した直後である場合が多いため、上記アイコンは、図６（ｃ）に示すような「開始」などであってもよい。これにより、表示強度の算出に用いる時間が変動中であることを利用者に知らせることができる。
【００５２】
以上述べたように、本実施形態に係る活動量計によれば、表示強度の算出に用いられる時間を変更することにより、表示感度を変更することができる。
【００５３】
なお、本実施形態では、表示強度の他に歩数を表示する場合の例について説明したが、歩数に限らず、歩行時間、歩行距離、消費カロリー、脂肪燃焼量などを表示してもよい。それらを表示することにより、常時歩数計として利用できるほか、利用者に活動に関する有用な情報を与えることができる。
【００５４】
なお、本実施形態では、表示強度を表示部１０４に数値で表示する場合の表示桁数について詳しく述べていないが、表示桁数は特に限定されない。表示強度は整数で表示しても
よいし、小数点以下まで表示してもよい。小数点以下まで表示する場合の桁数はどのように設定されていてもよい。例えば、小数点以下１桁まで表示してもよいし、小数点以下３桁まで表示してもよい。表示強度をインジケータで表示する場合についても同様であり、例えば、１ＭＥＴｓ毎にインジケータの表示を変えてもよいし、１／３ＭＥＴｓ毎にインジケータの表示を変えてもよい。
【００５５】
なお、本実施形態に係る活動量計は、コンピューターやプリンタなどの外部機器と接続可能であってもよい。外部機器と接続可能とすることにより、利用者が行った活動の管理が容易になることが期待できる。
【００５６】
なお、ＣＰＵ１０２は、算出した強度を全て記憶部１０３に記録しなくてもよい。例えば、所定の値未満（例えば２ＭＥＴｓ未満）の強度については記録しなくてもよい。その場合、身体活動が２ＭＥＴｓ以上か否かの判断は、記録されているか否かで判断すればよい。また、表示強度を算出する際に、記録されていない単位時間の強度は、例えば、１ＭＥＴｓとみなせばよい。これにより、記憶部１０３の使用量を軽減することができる。
【００５７】
なお、本実施形態では、参照時間を６０秒、単位時間を２０秒、即ち、単位時間を参照時間の１／３としたが、参照時間や単位時間はこれらの値に限らない。例えば、単位時間は参照時間を４等分するような時間であってもよい。単位時間が参照時間の１／４より短い時間の場合、参照時間内において、所定の値未満の強度から所定の値以上の強度に切り替わる時点が複数存在する場合がある。そのような場合には、上述したように、それら切り替わる時点のうち最後の単位時間に最も近いものが検出される。
【図面の簡単な説明】
【００５８】
【図１】図１は、本実施形態に係る活動量計の構成の一例を示すブロック図である。
【図２】図２は、実施例１における表示強度の算出に用いる時間を決定する際の処理の流れの一例を示すフローチャートである。
【図３】図３は、単位時間毎に算出される強度と、表示部に表示される表示強度とを示す図である。
【図４】図４は、実施例２における表示強度の算出に用いる時間を決定する際の処理の流れの一例を示すフローチャートである。
【図５】図５は、単位時間毎に算出される強度と、表示部に表示される表示強度とを示す図である。
【図６】図６（ａ）〜図６（ｃ）は、本実施形態に係る活動量計の表示部の表示例を示す図である。
【符号の説明】
【００５９】
１００  活動量計
１０１  体動検知部
１０２  ＣＰＵ
１０３  記憶部
１０４  表示部
１０５  操作部
１０６  電源部
１０７  電源接続部
３０１，３０２  活動量計
【図１】
0005169421.tif 000002
【図２】
0005169421.tif 000003
【図３】
0005169421.tif 000004
【図４】
0005169421.tif 000005
【図５】
0005169421.tif 000006
【図６】
0005169421.tif 000007